(57)【要約】【課題】  光ディスクに記録されたデータの違法な複製を防止することができる光ディスク装置及びその再生方法を提供すること。【解決手段】  本発明では、受信装置１８でＩＣチップ１７の認証情報が受信され、認証情報照合装置１９により光ディスク３５が違法な複製品と判定されたならば、照合結果はＮＧとなる。照合結果がＮＧの場合、シャッタ板１６を閉じるように制御するための制御信号がシャッタ駆動機構１４に送られる。これにより、シャッタ板１６が閉じられ、光学手段３０のレーザ光は物理的に遮られる。これにより、データの再生はできなくなり、結果的に、データの違法な複製が抑制される。【選択図】  図１
2005209240.tif 000002
【特許請求の範囲】
【請求項１】
光を生成し、生成した光を用いてディスクに記録されたデータを再生するための光学手段と、
前記光学手段で生成された光を遮断可能なシャッタ手段と、
前記データを再生するための条件となる再生条件信号を前記ディスクから読み取る読み取り手段と、
前記読み取り手段によって再生条件信号が読み取られたか否かに基づき、前記シャッタ手段を制御する手段と
具備することを特徴とする光ディスク装置。
【請求項２】
請求項１に記載の光ディスク装置であって、
前記ディスクは、
前記データを記録するための媒体と、
前記媒体を収容し、前記光学手段で生成された光を前記媒体に導くための開口部を有するカートリッジとを有し、
前記シャッタ手段は、前記カートリッジに設けられたシャッタ部材を有し、
前記制御手段は、前記シャッタ部材で前記開口部を開閉制御することを特徴とする光ディスク装置。
【請求項３】
請求項１に記載の光ディスク装置であって、
前記シャッタ手段は液晶素子を有し、
前記制御手段は前記液晶素子に印加する電圧を制御することを特徴とする光ディスク装置。
【請求項４】
請求項１に記載の光ディスク装置であって、
前記ディスクは、該ディスクのうち前記データが記録されない非記録面に、前記再生条件信号を出力する回路チップを有することを特徴とする光ディスク装置。
【請求項５】
請求項４に記載の光ディスク装置であって、
前記読み取り手段は、前記回路チップに非接触で前記再生条件信号を読み取ることを特徴とすることを特徴とする光ディスク装置。
【請求項６】
ディスクに記録されたデータを光を用いて再生するための条件となる再生条件信号を前記ディスクから読み取るステップと、
前記再生条件信号が読み取られたか否かに基づき、前記光を遮断可能なシャッタ手段を制御するステップと
を具備することを特徴とする光ディスク装置の再生方法。
【発明の詳細な説明】
【技術分野】
【０００１】
本発明は、光を用いてデータの再生を行う光ディスク装置及びその再生方法に関する。
【背景技術】
【０００２】
近年、ＣＤ（Compact Disc）やＤＶＤ（Digital Versatile Disk）等の光ディスクに記録されたデータの不法コピーが問題となっている。このため、光ディスクに著作権保護のための付加情報を記録し、当該付加情報を特別な仕組みにて読み出すことにより、当該光ディスクが真性品であるかどうかを判定する技術がある（例えば、特許文献１参照。）。  
【特許文献１】特開２００３−１９５１６０号公報（段落[０００６]）
【発明の開示】
【発明が解決しようとする課題】
【０００３】
しかしながら、上記特許文献１に記載されているように光ディスクの記録信号面に著作権保護のための付加情報を記録する場合には以下のような問題がある。すなわち、光ディスクからの再生信号をそのまま記録して違法複製の光ディスクを作成したり、あるいは光ディスクそのものをスタンパーとして用いて違法複製光ディスクを作成したりする場合には、真性品と違法複製品とを判別することは困難であり、違法複製品の存在を許していた。
【０００４】
以上のような事情に鑑み、本発明の目的は、光ディスクに記録されたデータの違法な複製を防止することができる光ディスク装置及びその再生方法を提供することにある。
【課題を解決するための手段】
【０００５】
上記目的を達成するため、本発明は、光を生成し、生成した光を用いてディスクに記録されたデータを再生するための光学手段と、前記光学手段で生成された光を遮断可能なシャッタ手段と、前記データを再生するための条件となる再生条件信号を前記ディスクから読み取る読み取り手段と、前記読み取り手段によって再生条件信号が読み取られたか否かに基づき、前記シャッタ手段を制御する手段と具備する。
【０００６】
本発明では、読み取り手段により再生条件信号が読み取られなかった場合には、違法複製品と判断し、光学手段で生成された光をシャッタ手段により遮断してしまうので、データの再生が不可能となる。したがって、結果的に、データの違法な複製が抑制される。
【０００７】
本発明において光ディスク装置とは、少なくとも光を用いてデータを処理するディスク装置である。したがって、光ディスク装置とは、光磁気ディスク装置も含むものである。以下、同様である。
【０００８】
本発明の一の形態によれば、前記ディスクは、前記データを記録するための媒体と、前記媒体を収容し、前記光学手段で生成された光を前記媒体に導くための開口部を有するカートリッジとを有し、前記シャッタ手段は、前記カートリッジに設けられたシャッタ部材を有し、前記制御手段は、前記シャッタ部材で前記開口部を開閉制御する。シャッタ部材により機械的に光を遮断することにより確実にデータを再生できないようにするきとができる。
【０００９】
本発明の一の形態によれば、前記シャッタ手段は液晶素子を有し、前記制御手段は前記液晶素子に印加する電圧を制御する。例えば、光の偏光面を利用して液晶素子を制御することで、迅速かつ容易に光の通過及び遮断を制御することができる。前記シャッタ手段は偏光板を有し、前記制御手段は、前記偏光板を回転制御するようにしてもよい。この場合も、液晶素子と同様な効果を得ることができる。
【００１０】
本発明の一の形態によれば、前記ディスクは、該ディスクのうち前記データが記録されない非記録面に、前記再生条件信号を出力する回路チップを有する。この場合、前記読み取り手段は、前記回路チップに非接触で前記再生条件信号を読み取るようにすることも可能である。
【００１１】
本発明に係る光ディスク装置の再生方法は、ディスクに記録されたデータを光を用いて再生するための条件となる再生条件信号を前記ディスクから読み取るステップと、前記再生条件信号が読み取られたか否かに基づき、前記光を遮断可能なシャッタ手段を制御するステップとを具備する。
【００１２】
本発明では、再生条件信号が読み取られなかった場合には、違法複製品と判断し、光学手段で生成された光をシャッタ手段により遮断してしまうので、物理的にデータの再生が不可能となる。したがって、結果的に、データの違法な複製が抑制される。
【発明の効果】
【００１３】
以上のように、本発明によれば、ディスクに記録されたデータの違法な複製を防止することができる。
【発明を実施するための最良の形態】
【００１４】
以下、本発明の実施の形態を図面に基づき説明する。
【００１５】
図１は、本発明の第１の実施の形態に係る光ディスク装置を示す構成図である。この光ディスク装置１は光学手段３０を有する。光学手段３０は、例えば、半導体レーザ１０、グレーティング２、偏光ビームスプリッタ（ＰＢＳ）５、コリメータレンズ６、１／４波長板（ＱＷＰ）７、アクチュエータ８、集光レンズ８ａ、凹レンズ９、シリンドリカルレンズ２０、フォトディテクタ（ＰＤ）２２を有する。
【００１６】
半導体レーザ１０はレーザ光を生成する光源である。グレーティング２は、いわゆる３ビームスポット法でＰＤ２２によりトラッキングエラー信号１３を得るために、半導体レーザ１０から出射されたレーザ光を回折させる。コリメータレンズ６は、半導体レーザ１０からのレーザ光を平行光にする。ＱＷＰ７はコリメータレンズ６からの直線偏光を円偏光にする。集光レンズ８ａは、ディスク３５の記録媒体４にレーザ光を集光させ、アクチュエータ８は、サーボ制御により集光レンズ８ａを駆動させるためのコイルやヨーク等でなる素子である。ＰＢＳ５は、半導体レーザ１０から出射光の直線偏光面に直交する偏光面を有する直線偏光の戻り光を反射させ凹レンズ９に入射させる。凹レンズ９及びシリンドリカルレンズ２０は、いわゆる非点収差法によりフォーカシングエラー信号１２を検出するために用いられる。ＰＤ２２は、データの再生信号１１を検出するとともに、フォーカシングエラー信号１２及びトラキングエラー信号１３を検出する。
【００１７】
光ディスク３５は、カートリッジ３内に記録媒体４が収容されて構成されている。光ディスク装置１は、光ディスク３５の記録媒体４を回転させるためのスピンドルモータ１５を有し、スピンドルモータ１５は光ディスク３５のクランプ部２５を保持して記録媒体４を回転させる。
【００１８】
図２及び図３は光ディスク３５を示す斜視図である。上述の図１は図２中Ａ−Ａ線の断面を示している。カートリッジ３には開口部３ａが設けられており、また、この開口部３ａを開閉するシャッタ板１６が設けられている。図１に示すように、シャッタ板１６が開口部３ａを覆うことにより、集光レンズ８ａからのレーザ光が遮断されるようになっている。また、カートリッジ３には、例えば、この光ディスク３５を識別し認証するための認証情報が格納されたＩＣ（Integrated Circuit）チップが埋め込まれている。この認証情報は、この光ディスク３５が真性品であることを証明するものである。認証情報としては、例えばディスクに固有のＩＤ番号でよい。この認証情報に基づき、図１に示す読み取り手段の一部としての受信装置１８によって当該光ディスク３５が真性品であることが認証される。
【００１９】
受信装置１８は、ＩＣチップ１７と非接触で通信できるものが好ましいが、接触式であってもかまわない。非接触式の場合、例えば、受信装置１８には図示しない磁石が内蔵されており、この磁石により磁場を発生させることが可能となっており、また、移動機構２１によって図中左右に移動可能に設けられている。移動機構２１は、例えば送りネジ等をステッピングモータ等やそれを制御する装置等で構成される。ＩＣチップ１７には図示しないアンテナ用のコイルが内蔵されている。これにより、受信装置１８が移動することでＩＣチップ１７に起電力を発生させ、この電力でＩＣチップ１７は受信装置１８に上記認証情報を無線で送信することができる。
【００２０】
読み取り手段または制御手段の一部としての認証情報照合装置１９は、受信装置１８で受信した信号が入力される装置である。認証情報照合装置１９は、この信号、つまり認証情報を照合し、シャッタ駆動機構１４に制御信号を出力する。シャッタ駆動機構１４は、その制御信号に基づきシャッタ板１６を開閉駆動する。シャッタ駆動機構１４は、例えば電磁スイッチ等で構成することができるが、これに限られるものではない。
【００２１】
以上のように構成された光ディスク装置１の動作について説明する。図４はその動作を示すフローチャートである。
【００２２】
まず光ディスク３５が光ディスク装置１にセットされる（ステップ１）。そうすると、移動機構２１により受信装置１８が移動させられ、ＩＣチップ１７の認証情報の信号を受信する（ステップ２）。受信装置１８が受信した認証情報の信号は、認証情報照合装置１９に送られ、この認証情報照合装置１９によりパターンマッチングが行われる（ステップ３）。パターンマッチングの方法としては、例えば暗号化された認証情報の信号を復号化するようにすればよい。
【００２３】
ステップ３において、認証情報照合装置１９により光ディスク３５が真性品と判定されたならば、照合結果はＯＫとなり、ステップ４へ進む。照合結果がＯＫの場合、シャッタ板１６を開くように制御するための制御信号がシャッタ駆動機構１４に送られる。これにより、シャッタ板１６が開き（ステップ４）、光学手段３０のレーザ光は遮られることなく、カートリッジ３の開口部３ａを介して記録媒体４に照射し、データの再生が可能となる。すなわち、認証情報は光ディスク３５に記録されたデータを再生するための再生条件信号となる。
【００２４】
一方、ステップ３において、認証情報照合装置１９により光ディスク３５が違法な複製品と判定されたならば、照合結果はＮＧとなり、ステップ５へ進む。照合結果がＮＧの場合、シャッタ板１６を閉じるように制御するための制御信号がシャッタ駆動機構１４に送られる。これにより、シャッタ板１６が閉じられ（ステップ５）、光学手段３０のレーザ光は物理的に遮られる。これにより、データの再生はできなくなり、結果的に、データの違法な複製が抑制される。
【００２５】
例えば、真正品の光ディスクの再生信号をそのまま記録して違法複製品である光ディスクを作成する場合が想定される。しかしながら、その違法複製品の光ディスクを本実施の形態に係る光ディスク装置１で再生する場合には、当該違法複製品の記録媒体は、やはり認証情報を記憶したＩＣチップを具備したカートリッジに収納されている必要がある。従って、光ディスク装置１が、再生を許可する認証情報を予め制限しておけば、違法複製品の光ディスクの再生を不可能にすることができる。
【００２６】
図５は、本発明の第２の実施の形態に係る光ディスク装置を示す構成図である。第２の実施の形態において、上記第１の実施の形態で説明した光ディスク装置の部材や機能等について同様のものは説明を簡略または省略し、異なる点を中心に説明する。
【００２７】
この光ディスク装置５１は、グレーティング２とＰＢＳ５との光軸上に電子シャッタ５２が配置されている。この電子シャッタ５２は、例えば液晶素子を用いることができる。図６に示すように、記録媒体４の信号の非記録面には、上記第１の実施の形態のＩＣチップとＩＣチップ１７が埋め込まれている。この光ディスク装置５１では、受信装置１８からの認証情報に基づき、認証情報照合装置１９により液晶素子に印加する電圧の制御信号が出力される。
【００２８】
次にこのように構成された光ディスク装置５１の動作について説明する。図７は、光ディスク装置５１の動作を示すフローチャートである。
【００２９】
光ディスク装置５１は、ステップ１〜ステップ３まで、上記第１の実施の形態に係る光ディスク装置１の動作と同様に動作する。
【００３０】
ステップ３において、認証情報照合装置１９により光ディスク３５が真性品と判定されたならば、照合結果はＯＫとなり、ステップ４へ進む。照合結果がＯＫの場合、認証情報照合装置１９によって、電子シャッタ５２をＯＮとするような制御信号が電子シャッタ５２に送られる。電子シャッタ５２がＯＮとされた場合の様子を図８に示す。電子シャッタ５２がＯＮであるとき、例えば液晶に電圧が印加され、入射レーザ光５５と同一の偏光面を持つように液晶分子が配列制御される。このため、入射レーザ光５５は、電子シャッタ５２を１００％通過することになり、レーザ光は遮られることなく記録媒体４に照射し、データの再生が可能となる。
【００３１】
一方、ステップ３において、認証情報照合装置１９により記録媒体４が違法な複製品と判定されたならば、照合結果はＮＧとなり、ステップ５へ進む。照合結果がＮＧの場合、認証情報照合装置１９によって、電子シャッタ５２をＯＦＦとするような制御信号が電子シャッタ５２に送られる。電子シャッタ５２がＯＦＦとされた場合の様子を図９に示す。電子シャッタ５２がＯＦＦであるとき、例えば液晶に電圧が印加され、または電圧が印加されないで、入射レーザ光５５と直交する偏光面を持つように液晶分子が配列制御される。このため、入射レーザ光５５は、電子シャッタ５２にて物理的に遮断されることになる。これにより、データの再生はできなくなり、結果的に、データの違法な複製が抑制される。
【００３２】
本実施の形態では、電子シャッタ５２を用いることによって、迅速かつ容易に光の通過及び遮断を制御することができる。
【００３３】
また、例えば記録媒体４の認証情報は、当該記録媒体４の非記録面または再生面に埋め込まれたＩＣに記録されており、当該光記録媒体の再生信号をそのまま記録して違法複製記録媒体を作成したり、あるいは記録媒体そのものをスタンパーとして用いて違法複製の光記録媒体を作成したりする場合でも、物理的にＩＣチップ１７をコピーすることはできないので、真性品と違法複製品とは別個のものとなる。
【００３４】
本発明は以上説明した実施の形態には限定されるものではなく、種々の変形が可能である。
【００３５】
上記第１の実施の形態では、ＩＣチップがカートリッジ３に取り付けられた形態となっていたが、記録媒体４に埋め込まれていてもよい。
【００３６】
上述の光ディスク装置１、５１については、データの再生のみを行う装置について説明したが、相変化光ディスク装置、すなわち、記録のみあるいは記録及び再生の両方を行う装置について本発明を適用してもかまわない。相変化光ディスク装置の場合は、明示されていない情報源により半導体レーザ１０のレーザ光が変調され、記録媒体４に情報が記録されることになる。
【００３７】
上記第１の実施の形態に係る光ディスク装置１に、第２の実施の形態に係る光ディスク装置５１の電子シャッタ５２を組み込むようにしてもよい。例えば、違法複製品を、真正品のカートリッジ３に組み込んで記録再生を試みようとする場合が想定されるが、そのように組み合わせることで、カートリッジ３のシャッタ板１６が開いて開口部３ａ露出したとしても、電子シャッタ５２により記録再生を不可能にすることができる。
【００３８】
本発明は、ディスクが光磁気ディスクの場合にも同様に適用できる。図１０に、カートリッジ６３に記録媒体６４が収容されて構成される光磁気ディスク６５を記録または再生する光磁気ディスク装置の例を示す。また、図１１に、カートリッジがない光磁気記録媒体６４を記録または再生する光磁気ディスク装置の例を示す。これらのように、光磁気ディスク装置の場合は、反射光をウォラストンプリズム６１にて受けて、ＲＦ再生信号１１、フォーカシングエラー信号１２及びトラキングエラー信号１３を検出する。これらの光磁気ディスク装置によっても、違法複製品の記録再生を阻止することができる。
【００３９】
シャッタ板１６の配置は、図１または図１０に示した配置に限られず、必ずしもカートリッジ３に取り付けられる必要はない。例えば光ディスク装置にシャッタ板が搭載されていてもよい。また、電子シャッタ５２の配置も、図５または図１１で示した配置に限られず、適宜変更可能である。例えば、電子シャッタ５２がコリメータレンズ６の近傍、あるいはＰＤ２２の近傍等、レーザ光があるとことならどこでもよい。
【図面の簡単な説明】
【００４０】
【図１】本発明の第１の実施の形態に係る光ディスク装置を示す構成図である。
【図２】シャッタ板により開口部が閉じられた状態の光ディスクを示す斜視図である。
【図３】シャッタ板により開口部が開けられた状態の光ディスクを示す斜視図である。
【図４】図１に示す光ディスク装置その動作を示すフローチャートである。
【図５】本発明の第２の実施の形態に係る光ディスク装置を示す構成図である。
【図６】カートリッジがない記録媒体（光ディスク）を示す斜視図である。
【図７】図５に示す光ディスク装置の動作を示すフローチャートである。
【図８】電子シャッタがＯＮとされた場合のレーザ光の偏光の様子を示す図である。
【図９】電子シャッタ５２がＯＦＦとされた場合のレーザ光の偏光の様子を示す図である。
【図１０】本発明の一実施の形態に係る光磁気ディスク装置を示す構成図である。
【図１１】本発明の別の実施の形態に係る光磁気ディスク装置を示す構成図である。
【符号の説明】
【００４１】
１，５１…光ディスク装置
３，６３…カートリッジ
３ａ，６３ａ…開口部
４，６４…記録媒体
１４…シャッタ駆動機構
１６…シャッタ板
１７…ＩＣチップ
１８…受信装置
１９…認証情報照合装置
２１…移動機構
３０…光学手段
５２…電子シャッタ
３５，６５…ディスク
【図１】
2005209240.tif 000003
【図２】
2005209240.tif 000004
【図３】
2005209240.tif 000005
【図４】
2005209240.tif 000006
【図５】
2005209240.tif 000007
【図６】
2005209240.tif 000008
【図７】
2005209240.tif 000009
【図８】
2005209240.tif 000010
【図９】
2005209240.tif 000011
【図１０】
2005209240.tif 000012
【図１１】
2005209240.tif 000013